(57)【要約】【課題】流体採取バッグの膨張を補償する流出バルブのための取り付け構造を有し、流体採集バッグの迅速で、かつ溢れのない排出を容易にする採集バッグを提供すること。【解決手段】尿採集バッグであって、可撓性材料の第一シートおよび流体レザバを規定するように一緒に固定された可撓性材料の第二のシート；流体チャネルを規定しかつ長手方向軸および流体出口を規定する放出口を備える、支持部材を備え、該支持部材は、該放出口の長手方向軸と水平軸とが、該採集バッグの流体レザバが空になったときに、角度βを規定するように構成され、βは、約１５°〜約７５°の間である、尿採集バッグ。【選択図】図１
2007222639.tif 000002
【特許請求の範囲】
【請求項１】
尿採集バッグであって、
可撓性材料の第一シートおよび流体レザバを規定するように一緒に固定された可撓性材料の第二のシートであって、該可撓性材料の第一のシートは、該レザバの排出を促進するように開口部を規定する、可撓性材料の第一シートおよび流体レザバを規定するように一緒に固定された可撓性材料の第二のシート；
流体チャネルを規定しかつ長手方向軸および流体出口を規定する放出口を備える、支持部材であって、該支持部材は、該流体チャネルが該可撓性材料の第一シートにおける該開口部と流体連絡するように、該可撓性材料の第一シートに固定されている、支持部材；
を備え、
該支持部材は、該放出口の長手方向軸と水平軸とが、該採集バッグの流体レザバが空になったときに、角度βを規定するように構成され、βは、約１５°〜約７５°の間である、
尿採集バッグ。
【請求項２】
βが約３０°〜約６０°の間である、請求項１に記載の尿採集バッグ。
【請求項３】
βが約４５°である、請求項２に記載の尿採集バッグ。
【請求項４】
前記支持部材は、入り口開口部と中心本体部分とを規定する基部部分をさらに備え、前記流体チャネルは、該基部部分から該中心本体部分を通って前記放出口へと延びる、請求項１に記載の尿採集バッグ。
【請求項５】
前記尿採集バッグは、前記支持部材上に支持された流出バルブをさらに備える、請求項４に記載の尿採集バッグ。
【請求項６】
前記支持部材の前記放出口に固定された可撓性放出チューブをさらに備える、請求項５に記載の尿採集バッグ。
【請求項７】
前記放出バルブは、ハウジングおよび回転式バルブ部材を備え、該回転式バルブ部材は、前記可撓性放出チューブを圧縮する閉鎖位置から、該放出チューブを通って流体が流れるようにする開放位置へと動かすことができる、請求項６に記載の尿採集バッグ。
【請求項８】
前記基部部分はプレート様部材である、請求項４に記載の尿採集バッグ。
【請求項９】
前記基部部分は、可撓性材料の正面シートに融合されている、請求項５に記載の尿採集バッグ。
【請求項１０】
前記中心本体部分は、前記尿採集バッグの前記流体レザバが空になったときに水平軸に対して実質的に平行である長手方向軸を規定する、請求項５に記載の尿採集バッグ。
【発明の詳細な説明】
【技術分野】
【０００１】
（背景）
１．技術分野
本開示は、体液、例えば、尿を受容するための流体採集バッグに関する。より詳細には、本開示は、その上に、流体チャネルを規定し、そして放出口を有する流出バルブを取付けるための角度をなす支持部材を含む折畳み可能な尿採集バッグに関する。この支持部材は、上記流出バルブを位置決めするような形態であり、そして上記放出口は、バッグが流体で充填または部分的に充填されるとき、バッグの溢れ自由排出を行うためのより接近可能でかつ適正な配向にある。
【背景技術】
【０００２】
２．関連技術の背景
尿のような体液を採集するための流体採集システムは、当該技術分野で周知である。代表的には、尿採集システムは、流体リザバを規定する尿採集バッグを含み、そしてこの尿採集バッグは、流体を受容するための入口ポート、およびこの採集バッグの排出を容易にするための排出ポートを有する。排出チューブが排出ポートに取り付けられ、そして流出バルブがこの排出チューブ上、またはそれに沿って提供され、採集バッグからの流体流れ、例えば、排出を調節する。
【０００３】
一般に、流体採集バッグは、それらの端部で一緒にシールされる可撓性材料の前部シートおよび後部シートから形成され、流体リザバを規定する。排出ポートは、この採集バッグの前部シートの下側端部上に位置決めされ、排出チューブはそれから延びる。いくつかの公知の採集システムでは、流出バルブは、排出チューブ、またはこの排出チューブを通じて流体流れを調節するための位置でバッグ上に支持された取り付け構造上に支持される。
【０００４】
使用において、尿採取バッグは、支持構造、例えば、患者の下に位置するベッドフレームに支持、例えば、吊り下げられる。カテーテルを入れられた患者に連結された１つの端部、および尿採集バッグと流体連通する第２の端部を有する排出チューブは、尿を尿採集バッグに向ける。この尿採集バッグが満たされ始めるとき、採集バッグを形成する前部シートおよび後部シートは、外方に膨張する。これら前部シートおよび後部シートの下側端部は一緒にシールされるので、採集バッグの前部シートの下側端部は、採集バッグの外面が湾曲した下方に面する面を規定するように膨張する。この採取バッグの前部シートの外方への膨らみは、採集バッグの排出放出口および流出バルブを内方に傾ける。その結果、この流出バルブはより接近可能でなくなり、そして排出放出口は、曲がった垂直でない配向に移動し、採集バッグの溢れのない排出を行う。
【発明の開示】
【発明が解決しようとする課題】
【０００５】
従って、流体採取バッグの膨張を補償する流出バルブのための取り付け構造を有し、流体採集バッグの迅速で、かつ溢れのない排出を容易にする採集バッグを提供することが所望され得る。
【課題を解決するための手段】
【０００６】
（要約）
本開示によれば、尿採集バッグが提供され、これは、一緒に固定され、折畳み可能な流体リザバを規定する、可撓性材料の第１のシートおよび可撓性材料の第２のシートを含む。可撓性材料の第１のシートは開口部を規定し、リザバの排出を容易にする。
【０００７】
支持部材は流体チャネルを規定し、そして長手方向軸および流体出口を規定する放出口を含む。この支持部材は、上記可撓性材料の第１のシートに、上記流体チャネルがこの可撓性材料の第１のシート中の開口部と流体連通するように固定される。この支持部材は、上記放出口の長手方向軸と水平軸とが、上記採集バッグの流体リザバが空であるとき、角度βを規定するような形態であり、ここで、βは、約１５゜〜約６０゜の間である。
【０００８】
好ましい実施形態では、βは、約３０゜〜約７５゜の間である。別の好ましい実施形態では、約４５゜である。
【０００９】
１つの実施形態では、上記支持部材は、入口開口部および中央本体部分を規定する基部部分を含む。上記流体チャネルは、この基部部分から中央本体部分を通って、上記放出口まで延びる。この中央本体部分は、上記尿採集バッグの流体リザバが空であるとき、水平軸と実質的に平行であり長手方向軸を規定する。上記基部部分は、上記可撓性材料の前部シートに溶接され得るプレート様部材である。
【００１０】
上記尿採集バッグは、上記支持部材上に支持された流出バルブおよび上記支持部材の放出口に固定された可撓性の放出チューブをさらに含む。この流出バルブは、ハウジングおよび回転可能なバルブ部材を含む。この回転可能なバルブ部材は、上記可撓性放出チューブを圧縮する閉鎖位置から開放位置に移動可能であり、上記放出チューブを通る流れを可能にする。
【００１１】
上記目的を達成するために、本発明は、例えば、さらに以下を提供する。
【００１２】
（項目１）
尿採集バッグであって、
可撓性材料の第一シートおよび流体レザバを規定するように一緒に固定された可撓性材料の第二のシートであって、該可撓性材料の第一のシートは、該レザバの排出を促進するように開口部を規定する、可撓性材料の第一シートおよび流体レザバを規定するように一緒に固定された可撓性材料の第二のシート；
流体チャネルを規定しかつ長手方向軸および流体出口を規定する放出口を備える、支持部材であって、該支持部材は、該流体チャネルが該可撓性材料の第一シートにおける該開口部と流体連絡するように、該可撓性材料の第一シートに固定されている、支持部材；
を備え、
該支持部材は、該放出口の長手方向軸と水平軸とが、該採集バッグの流体レザバが空になったときに、角度βを規定するように構成され、βは、約１５°〜約７５°の間である、
尿採集バッグ。
【００１３】
（項目２）
βが約３０°〜約６０°の間である、項目１に記載の尿採集バッグ。
【００１４】
（項目３）
βが約４５°である、項目２に記載の尿採集バッグ。
【００１５】
（項目４）
前記支持部材は、入り口開口部と中心本体部分とを規定する基部部分をさらに備え、前記流体チャネルは、該基部部分から該中心本体部分を通って前記放出口へと延びる、項目１に記載の尿採集バッグ。
【００１６】
（項目５）
前記尿採集バッグは、前記支持部材上に支持された流出バルブをさらに備える、項目４に記載の尿採集バッグ。
【００１７】
（項目６）
前記支持部材の前記放出口に固定された可撓性放出チューブをさらに備える、項目５に記載の尿採集バッグ。
【００１８】
（項目７）
前記放出バルブは、ハウジングおよび回転式バルブ部材を備え、該回転式バルブ部材は、前記可撓性放出チューブを圧縮する閉鎖位置から、該放出チューブを通って流体が流れるようにする開放位置へと動かすことができる、項目６に記載の尿採集バッグ。
【００１９】
（項目８）
前記基部部分はプレート様部材である、項目４に記載の尿採集バッグ。
【００２０】
（項目９）
前記基部部分は、可撓性材料の正面シートに融合されている、項目５に記載の尿採集バッグ。
【００２１】
（項目１０）
前記中心本体部分は、前記尿採集バッグの前記流体レザバが空になったときに水平軸に対して実質的に平行である長手方向軸を規定する、項目５に記載の尿採集バッグ。
【発明の効果】
【００２２】
流体採取バッグの膨張を補償する流出バルブのための取り付け構造を有し、流体採集バッグの迅速で、かつ溢れのない排出を容易にする採集バッグを提供する。
【発明を実施するための最良の形態】
【００２３】
（実施形態の詳細な説明）
角度をなすバルブ支持部材を備えた現在開示される尿採集バッグアセンブリの実施形態は、ここで、図面を参照して詳細に説明され、ここで、同様の参照番号は、いくつかの図の各々で同一または対応する要素を指定する。
【００２４】
図１〜４は、流体流出バルブ２１（図６）を支持するためのバルブ支持部材１０を示す。
バルブ支持部材１０は、尿採集バッグアセンブリ１００（図１０）との使用のための形態であり、そして流体入口１４（図４）、流体出口１６（図１）、および流体入口１４と流体出口１６との間に延びる流体チャネル１８を規定する本体１２を含む。バルブ支持部材１０の本体１２は、流体入口１４が通って延びる基部部材２０、流体チャネル１８の実質的部分を規定する中央本体部分２２、および放出口２４を含む。放出口２４は、流体出口１６を含む流体チャネル１８の出口端部を規定する。
【００２５】
支持部材１０は、ポリマー材料または必要な強度特性を有する任意のその他の材料から一体に構築され得る。あるいは、支持部材１０の構成要素は、異なる材料から構築され得、そして、任意の公知の固定プロセス、例えば、溶接、接着剤などを用いて一緒に固定される。１つの実施形態では、基部部材２０は、以下により詳細に論議されるように、採集バッグ１０２にシールして付着されるような形態である平坦なプレート様部材を規定する。図１および２に示されるように、中央本体部分２２は形状が実質的に矩形であり、そして丸くなった頂部、および底面２２ａおよび２２ｂ、ならびに直線状側壁２２ｃを含む。あるいは、その他の本体部分形態、例えば、方形、円筒形、卵形など、が想定される。中央本体部分２２は、採集バッグがからであるとき、水平軸「Ｈ」に実質的に平行である長手方向軸「Ａ」（図２）を規定する。中央本体部分２２は、基部部材２０と一体に形成されるか、またはそれに固定された第１の端部２６、および基部部材２０から間隔を置かれた第２の端部を有する。放出口２４は、第２の長手方向軸「Ｂ」を規定し、そして中央本体部分２２の第２の端部２８上に支持される。放出口２４は実質的に円筒形形態を有するが、その他の形態もまた想定される。１つの実施形態では、第１および第２の長手方向軸ＡおよびＢは、約１５゜と約７５゜との間、そして好ましくは、約３０゜と約６０゜との間の角度βを規定する。１つの実施形態では、βは約４５゜である。その他の角度、例えば、１０゜など、上記で列挙された範囲の外側も望ましくても良いことが想定される。上記で論議されたように、流体チャネル１８が、流体入口１４（図４）から流体出口１６まで支持部材１０を通って延びる。角度βは、採集バッグ１０２が流体で充填され、そしてこのバッグ１０２の外壁が外方に膨らむとき、放出口２４の長手方向軸βが実質的に垂直配向に移動するように選択される。
【００２６】
支持部材１０はまた、中央部分２２の第１の端部２６の上面上に支持される支柱３２を含み、そして中央部分２２に固定される第１のエッジ、および基部部材２０の前面に固定される第２のエッジを含む。支柱３２は、実質的に剛直性であり、そして支持部材１０に安定性を提供する。フィン３４は、中央部分２２の第２の端部２８上に支持される。１つの実施形態では、フィン３４は、湾曲した上面３４ａを含み、そして流出バルブ２１を支持部材１０に固定する際に支援するために流出バルブ２１内に位置決めされるような形態である。フィン３４と支柱３２とは、中央本体部分２２上で間隔を置かれ、凹部３６を規定する。
【００２７】
フランジまたは支持プレート４０が、放出口２４の下で中央本体部分２２の第２の端部２８に固定される。支持プレート４０は、係合面４２を規定する第１および第２の横方向延長部４０ａおよび４０ｂを含む。プレート４０の１つの端部は、リップまたはオーバーハング４１を有する。係合面４２は、第２の長手方向軸Ｂに実質的に垂直である平面を規定する。横方向延長部４０ａおよび４０ｂおよび係合面４２は、フィン３４と組み合わさって、以下に詳細に論議されるように、支持部材１０の流出バルブ２１への取り付けを容易にする。
【００２８】
図１０に簡単に言及して、採集バッグアセンブリ１００は、採集バッグ１０２、流出バルブ２１、放出チューブ１０４および支持ハンガー１０６を含む。採集バッグ１０２はまた、入口または抗逆流バルブ１０８および１つ以上のベント１１０を含み得る。示されるように、流出バルブ２１は、バッグ１０２の底部分に隣接して支持される。
【００２９】
図５および１０を参照して、採集バッグ１０２は、それらのエッジでシール、例えば、溶接、接着などされ、流体リザバ１１２（図１０）を規定する、可撓性材料の第１および第２のシートから構築される。この材料の第１および第２のシートは、ポリ塩化ビニルまたはその他の適切な可撓性材料から構築され得る。採集バッグ１０２の底部分は、ガリ（ｇｕｌｌｙ）またはウェル１１４を規定し、これは、流体リザバ１１２の最も低い点を規定する。開口部（図示せず）が、採集バッグ１０２の第１のシート１１６中に形成される。支持部材１０の基部部材２０は、任意の公知の固定技法、例えば、熱シール、接着剤、溶接などを用いて、第１のシート１１６に、流体入口１４（図４）が、採集バッグ１０２の前部シート１１６中の開口部と流体連通しており、そして支持部材１０の中央部分２２が採集バッグ１０２の前部シート１１６から外方に突出するように固定される。可撓性の放出チューブ１１７は放出口２４に固定され、そして流出バルブ２１を通って延びる。従って、採集バッグ１０２中の流体は、採集バッグ１０２の底に集まり、そして前部シート１１６中の開口部を通って、支持部材１０の流体チャネル中、そして放出チューブ１１７中に流れる。
【００３０】
図６〜８を参照して、流出バルブ２１は、外側ハウジング１２０、および流出バルブ２１の前面内に位置決めされ、そしてそれを規定する回転可能なバルブ部材１２２を有する。バルブ部材１２２は、可撓性チューブ１１７を圧縮する第１の位置から、チューブ１１７に実質的に圧縮が付与されず、そして流体がチューブ１１７から流れ得る第２の位置まで移動可能である。流出バルブ２１は当該分野で公知であり、そしてＫｅｎｄａｌｌによって、商標名ＳＰＬＡＳＨＧＵＡＲＤＴＭの下で販売され、そして本明細書では詳細に論議されない。あるいは、その他のバルブタイプが、現在開示される支持部材と組み合わせて用いられ得る。バルブ２１の外側ハウジング１２０は、開口部１２６を含む後部壁１２４を含む（図８）。１つの実施形態では、開口部１２６は実質的に矩形であり、そして円形上部壁１２８および一対の直線状横方向スロット１３０を含む。一連の小さな間隔を置いた突出部１３２が上部壁１２８から内方に突出する。突出部１３２は、フィン３４と協働し、支持部材１２をバルブ２１内に整列する。
【００３１】
開口部１２６は、支持部材１０の本体１２の遠位部分を受容するような寸法である。より詳細には、放出口２４を含む支持部材１０の本体１２の一部分、および中央本体部分２２の遠位部分は、開口部１２６を通って、流出バルブ２１の外側ハウジング１２０中に挿入される。この位置では、支持部材１０のフィン３４は、外側ハウジング１２２内に位置決めされ、そして支持プレート４０の横方向突出部４０ａおよび４０ｂは、開口部１２６の横方向スロット１３０を通って、係合面４２が、スロット１３０を規定する外側ハウジング１２０の一部上に静止するように延びる。流出バルブ２１を支持部材１０上に支持して、流出バルブ２１は、支持部材１０の放出口２４によって規定される軸Ｂに平行であり、そして支持部材１０の中央本体部分２２によって規定される軸Ａから角度βだけずれる長手方向軸「Ｃ」を規定する。
【００３２】
図６、７および９に示されるように、支持部材１０の基部部材２０は、採集バッグ１０２の前部シート１１６に固定され、そして流出バルブ２１は、支持部材１０上に支持される。従って、採集バッグ１０２がその非膨張位置または空の形態にあるとき、放出口２４の長手方向軸Ｂ（図２）および流出バルブ２１の長手方向軸Ｃ（図７）は、採集バッグ１０２の前部シート１１６によって規定される水平軸または平面から角度βで上方に傾く。採集バッグ１０２が流体で満たされ、そして前部シート１１６が外方に膨らむとき、放出口２４の長手方向軸Ｂおよび流出バルブ２１の長手方向軸Ｃは、垂直位置に向かい戻って回転する。従って、採集バッグ１０２が満たされ、そして採集バッグが外方に膨らむとき、放出口２４および流出バルブ２１は、回転可能な部材１２２がより容易に接近可能であり、そして流体が採集バッグ１０２から溢れがなく排出され得る位置まで移動し、すなわち、放出口２４は、流体出口１８がまっすぐ下方に排出し得る垂直位置まで移動される。
【００３３】
折畳み可能な流体リザバを規定する可撓性材料の少なくとも１つのシート、および流体チャネルを規定し、そして出口開口部を有する放出口を含む支持部材を含む尿採集バッグが提供される。この支持部材は、上記放出口の長手方向軸が流体リザバが空であるとき水平軸と鋭角を規定するが、流体リザバが充填されるとき上記放出口の長手方向軸が垂直軸に実質的に平行である位置に移動するような形態である。上記支持部材は、上記流体リザバが流体で満たされるとき、流出バルブがより接近可能であるように流出バルブを支持するような形態である。
【００３４】
種々の改変が本明細書中に開示された実施形態になされ得ることが理解される。例えば、上記支持部材の形態が、種々の異なるバルブ形態を支持するために多くの点で改変され得ることが想定される。これらは、支持部材の形態が、尿採集バッグの外方の膨らみを補償するように選択される限り、本開示の範囲内であると考えられる。さらに、本開示は、その他の外科および非外科領域における採集バッグに取り込まれ得る。それ故、上記の説明は、制限的であると解釈されるべきではなく、好ましい実施形態の単なる例示である。当業者は、本明細書に添付された特許請求の範囲の範囲および思想内でその他の改変を想定する。
【図面の簡単な説明】
【００３５】
角度をなすバルブ支持部材を備えた現在開示される流体採集バッグの種々の実施形態が、図面を参照して本明細書中に開示される。
【図１】図１は、流体採集バッグの現在開示されるバルブ支持部材の１つの実施形態の斜視図である。
【図２】図２は、図１に示されるバルブ支持部材の側面図である。
【図３】図３は、図１に示されるバルブ支持部材の前面図である。
【図４】図４は、図１に示されるバルブ支持部材の背面図である。
【図５】図５は、図１に示されるバルブ支持部材が取り付けられた流体採集バッグの前面図である。
【図６】図６は、バルブ支持部材上に支持された流出バルブを備えた図５中に示される流体採集バッグの前面図である。
【図７】図７は、放出チューブ、およびベッドフレーム上に採集バッグを固定するためのハンガー構造を含む、図６に示される流体採集バッグの側方斜視図である。
【図８】図８は、図７に示される採集バッグアセンブリの側方斜視図であり、この採集バッグは流体で部分的に満たされている。
【図９】図９は、本発明による流体採集バッグの斜視図である。
【図１０】図１０は、本発明による流体採集バッグの斜視図である。
【図１】
2007222639.tif 000003
【図２】
2007222639.tif 000004
【図３】
2007222639.tif 000005
【図４】
2007222639.tif 000006
【図５】
2007222639.tif 000007
【図６】
2007222639.tif 000008
【図７】
2007222639.tif 000009
【図８】
2007222639.tif 000010
【図９】
2007222639.tif 000011
【図１０】
2007222639.tif 000012